【事件の表示】
　特願２０１３−５２７１６３「バックライト変調を有するディスプレイのための適応カラー補正のための方法、デバイス及び記憶媒体」拒絶査定不服審判事件〔平成２４年　３月　８日国際公開、ＷＯ２０１２／０３０７１９、平成２５年　９月２６日国内公表、特表２０１３−５３６９５６〕について、次のとおり審決する。
【結　論】
　本件審判の請求は、成り立たない。
【理　由】
第１  手続の経緯
　本願は、平成２３年８月２９日（パリ条約による優先権主張　２０１０年８月３０日、米国、２０１０年１０月２９日、米国、２０１１年８月２６日、米国、２０１１年８月２６日、米国）を国際出願日とする出願であって、平成２６年１月１５日付けで拒絶理由が通知され、平成２６年６月２３日付けで手続補正がなされたが、平成２６年８月１１日付けで拒絶査定がなされ（送達日：平成２６年８月１９日）、これに対し、平成２６年１２月１８日に拒絶査定不服審判が請求され、同時に手続補正がなされたものである。
第２　平成２６年１２月１８日付け手続補正についての補正却下の決定
［補正却下の決定の結論］
　平成２６年１２月１８日付け手続補正（以下、「本件補正」という。）を却下する。
［理由］
１　補正の内容
（１）本件補正後の特許請求の範囲の記載
　本件補正により、特許請求の範囲の請求項１の記載は、次のとおり補正された（下線部は、補正箇所である。）。
「【請求項１】
　バックライトディスプレイデバイスを較正する方法において、
　前記バックライトディスプレイデバイスの２つ以上の異なるバックライト強度レベル設定において、２つ以上の異なるカラー補正マトリックスの係数を発生させることと、
ここで、前記係数は、前記２つ以上の異なるバックライト強度レベル設定において、前記バックライトディスプレイデバイスの、赤チャネル、緑チャネル、および、青チャネルの各々のカラー応答を調整し、前記バックライト強度レベル設定は、デフォルトのバックライト強度レベル設定に比しての異なるバックライト強度の量を表すパーセンテージ又は前記パーセンテージの範囲で定義される、
　少なくとも２つの異なるバックライト強度レベル設定が前記カラー補正マトリックスのうちの異なる１つに対応するような前記バックライト強度レベル設定において、
、
を含
む
（２）本件補正前の特許請求の範囲の記載
　本件補正前の、平成２６年６月２３日付け手続補正書による特許請求の範囲の請求項１の記載は次のとおりである。
「【請求項１】
　バックライトディスプレイデバイスを較正する方法において、
　前記バックライトディスプレイデバイスの２つ以上の異なるバックライト強度レベル設定において、２つ以上の異なるカラー補正マトリックスの係数を発生させることと、
　前記バックライトディスプレイデバイスによってカラーをレンダリングする適用のために、前記２つ以上の異なるカラー補正マトリックスの係数を前記バックライトディスプレイデバイスに記憶させることとを含み、
　前記係数は、前記２つ以上の異なるバックライト強度レベル設定において、前記バックライトディスプレイデバイスの、赤チャネル、緑チャネル、および、青チャネルの各々のカラー応答を調整する方法。」
（３）上記補正は、「前記係数は、前記２つ以上の異なるバックライト強度レベル設定において、前記バックライトディスプレイデバイスの、赤チャネル、緑チャネル、および、青チャネルの各々のカラー応答を調整」との記載の文章中の位置を変更した点を除けば、補正前の請求項１に記載した発明を特定するために必要な事項である「バックライト強度レベル設定」について、「前記バックライト強度レベル設定は、デフォルトのバックライト強度レベル設定に比しての異なるバックライト強度の量を表すパーセンテージ又は前記パーセンテージの範囲で定義される、少なくとも２つの異なるバックライト強度レベル設定が前記カラー補正マトリックスのうちの異なる１つに対応するような前記バックライト強度レベル設定」との限定を付加するものであるから、特許法第１７条の２第５項第２号（特許請求の範囲の減縮）に掲げる事項を目的とするものに該当する。
２　補正の適否
　そこで、本件補正後の前記請求項１に記載された発明（以下、「本件補正発明」という。）が特許出願の際独立して特許を受けることができるものであるか（特許法第１７条の２第６項において準用する同法第１２６条第７項の規定に適合するか）について以下に検討する。
（１）本件補正発明
　本件補正発明は、上記１に記載したとおりのものである。
（２）引用例の記載事項
ア　原査定の拒絶の理由で引用された、本願の優先日（パリ条約による優先権主張の基礎とされた出願の出願日）前に頒布された刊行物である、特開２００８−１０２３７９号公報（以下、「引用例」という。）には、図面とともに、次の記載がある（なお、下線は当審で付与したものである。）。
「【０００１】
  本発明は、液晶表示装置にて、カラー画像を表示する画像表示装置及び
画像表示方法
「【００１４】
  本発明により、バックライト光量と液晶パネル透過率の両者を制御する表示装置において、より高画質な液晶表示装置を実現することができる。」
「【００１７】
  以上、液晶表示装置の概要について説明したが、本発明の要旨である、バックライト部１１９及び液晶パネル１１３の制御に関する構成について、以下詳細に説明する。
【実施例１】
【００１８】
  図１は、本発明に係る
画像表示装置
入力信号１を信号処理回路１０で、掛け算の関係にあるＲＧＢバックライト光量１１とＲＧＢサブ画素透過率１２に分離する。そして、ＲＧＢバックライト光量１１は、ＬＥＤ駆動回路１３を用いてＬＥＤ駆動信号１５に変換して、ＬＥＤバックライト１７を駆動する。
【００１９】
  
一方のＲＧＢサブ画素透過率１２は、ＬＣＤ駆動回路１４を用いてＬＣＤ駆動信号１６に変換して、ＬＣＤパネル１８を駆動する。こうして、最終的に、ＬＥＤバックライト１７とＬＣＤパネル１８を駆動することで、両者の組み合わせとして表示画像が形成される。
【００２０】
  本発明は、
ＬＥＤバックライト１７をＲＧＢ独立制御する
【００２１】
  図１６は、ＲＧＢ３色ＬＥＤを同時点灯する駆動回路の構成例を示す。単一の駆動信号を入力して、ＲＧＢ３種のＬＥＤを同時に駆動する。ＬＥＤに直列接続の抵抗の設定値により、ＲＧＢ３種のそれぞれの光量を調整することができて、これの組み合わせによりホワイトポイント（白色）を設定する。一方、図１７は、
ＲＧＢ３種のＬＥＤ
それぞれを独立に駆動するため、３種の駆動信号を生成する手段が必要になる。
「【００４６】
  本発明は、信号処理の基本手順として、画面単位で設定するＲＧＢバックライト光量からクロストーク補正のためのクロストーク係数を算出し、このクロストーク係数を用いてサブ画素透過率を補正することで、安定色域へのマッピングを行う。」
「【００６０】
  以上、本発明は、
クロストークによる色域変動を信号処理により補正する
「【実施例２】
【００６２】
  本発明は図６に示すように、クロストーク補正のための信号処理を行うために、図１に示す
画像表示装置に、
記憶手段としての特性レジスタ２０を用意する
【００６３】
  特性レジスタ２０は、データの読み書きができる記憶手段である。
特性レジスタ２０へ書き込む特性信号２１は、
ＲＧＢバックライト光量とクロストーク係数の関係を示すデータ
である。
【００６４】
  特性レジスタ２０に特性信号２１を書き込むタイミングは、装置構成に依存して設定する。例えば、表示に関わる回路を全て一つの筐体に組み込むような装置形態では、これらの装置を組み立てる時点で特性信号２１を特性レジスタ２０に書き込めばよい。あるいはバックライト等の部品を交換できるような装置形態では、交換後の部品に関わる特性信号２１を特性レジスタ２０に書き込むことが望ましい。したがって、特性レジスタ２０は、書き換え可能であり書き込んだ内容を保持できるメモリ機能を備えるようにする。具体的には、フラッシュメモリ，ＥＰＲＯＭ，電池バックアップ付きのＳＲＡＭ等を利用できる。
特性レジスタ２０に書き込まれた特性信号２１は、クロストーク補正を行うために利用する。
【００６５】
  
クロストーク補正を含む信号処理手順
（１）画像データの入力と、画面内のＲＧＢごとの最大値Ｒｍａｘ，Ｇｍａｘ，Ｂｍａｘの算出、（２）画面のＲＧＢバックライト光量を設定する、（３）画面のＲＧＢサブ画素透過率を設定する、（４）特性レジスタからＲＧＢバックライト光量とクロストーク係数との関係を示すデータを読み出す、（５）ＲＧＢバックライト光量からクロストーク係数を算出する、（６）クロストーク係数を用いてＲＧＢサブ画素透過率を補正する、（７）ＲＧＢバックライト光量と補正したＲＧＢサブ画素透過率を出力する。
【００６６】
  ここで、
上記手順（４）において、
方法（１）
を採用する
【００６７】
  
（１）ＬＵＴ（ルックアップテーブル）を利用する方法
  （２）多項式近似を利用する方法で、ＲＧＢバックライト光量を変数として、演算結果が補正係数となる関係を多項式で近似して用意する。この多項式の次数を高くすることで近似の精度を高めることができる。なお、多項式の演算には、精度の高い掛け算処理が必要となる。
  （３）エミュレートによる方法で、クロストークの発生原理を数値計算でエミュレートする手段を用意する。例えば、前記数式１をモデルとして、クロストークを補正するための係数を算出して、補正処理に利用する。
【００６８】
  ここで、
上記（１）
  
ＲＧＢのバックライト光量の大きさを３つの座標軸として、飛び飛びの分割を行い、分割点の係数をテーブルとしてまとめておく。前記したようにクロストーク補正するための係数は、３×３サイズのマトリクスにまとめることができて、それぞれの係数はＲＧＢのバックライト光量に依存する変数である。
ＲＧＢのバックライト光量をインデックスとして、係数値を読み出すテーブルを、それぞれの係数について用意する。
「【００７５】
  本発明は、パネル特性に基づく
飛び飛びの格子点の係数を、事前に用意する
パネル特性に基づいて作成する
「【実施例６】
【００９９】
  
上記の説明は、ＲＧＢの発光手段をそれぞれ独立に駆動するバックライトの波長分布が変化する構成を示した。ここで、発光手段の波長分布がＲＧＢの３種類でない場合
でも同様のクロストーク要因が存在することは明らかである。
上記までに説明した本発明の手段を拡張することで解決できることも明らかである。透過率を制御する液晶パネルに付加されたカラーフィルタの波長分布と、上記の多種の発光波長分布との組み合わせによるＸＹＺ値のマトリクスを作り、入力映像信号による表示XYZを目標とする液晶透過率を算出する式を作成していけばよい。
【０１００】
  つぎに
発光手段が、いわゆる白色の１色である場合
白色の発光手段としては、内部に備えるＲＧＢ独立の発光手段を単一の信号で同時に駆動することで白色の発光手段とする構成
例えば前者の構成では、駆動信号と発光量の関係がＲＧＢそれぞれの発光手段で異なり、ＲＧＢの発光の比率が変化する場合には、白色の波長分布が変動することになる。さらにＲＧＢ独立の発光手段の温度と発光量の関係が異なる場合にも、組み合わされる白色の波長分布が変動することになる。
【０１０１】
  
白色のバックライトの光量を可変となるように駆動する場合において
白色の波長分布が変化
クロストークの発生がある
【０１０２】
  このような波長分布に
表示画面の色の変化を補正するために、前記した本発明の手段を利用できることはいうまでもない
具体的には、バックライト発光量（あるいはＲＧＢ駆動信号）と、該色変化を補正するために液晶駆動信号を補正するための係数を対応付けておくことで、表示信号の補正を行う
「【０１０４】
  以上、本発明は、バックライト光量をＲＧＢ独立に制御する液晶ディスプレイに適用できる。また、液晶ディスプレイを利用するテレビジョン受像器，パソコン，モニタ装置等に適用できる。」
イ　上記記載から、引用例には、次の技術的事項が記載されている。
（ア）段落【０００１】より、
 「画像表示方法。」との技術事項を読み取ることができる。
（イ）段落 【００１８】、【００１９】より、
「画像表示装置は、入力信号１を信号処理回路１０で、掛け算の関係にあるＲＧＢバックライト光量１１とＲＧＢサブ画素透過率１２に分離し、そして、ＲＧＢバックライト光量１１は、ＬＥＤ駆動回路１３を用いてＬＥＤ駆動信号１５に変換して、ＬＥＤバックライト１７を駆動し、一方のＲＧＢサブ画素透過率１２は、ＬＣＤ駆動回路１４を用いてＬＣＤ駆動信号１６に変換して、ＬＣＤパネル１８を駆動し、こうして、最終的に、ＬＥＤバックライト１７とＬＣＤパネル１８を駆動することで、両者の組み合わせとして表示画像が形成される。」との技術事項を読み取ることができる。
（ウ）段落【００２０】、【００２１】より、「ＬＥＤバックライト１７をＲＧＢ独立制御し、ＲＧＢ３種のＬＥＤそれぞれを独立に駆動するため、３種の駆動信号を生成する手段が必要になる。」との技術事項を読み取ることができる。
（エ）段落【００６０】より、「クロストークによる色域変動を信号処理により補正する。」との技術事項を読み取ることができる。
（オ）段落【００６２】、【００６３】及び【００６４】より、
「画像表示装置に、記憶手段としての特性レジスタ２０を用意し、特性レジスタ２０へ書き込む特性信号２１は、ＲＧＢバックライト光量とクロストーク係数の関係を示すデータであり、特性レジスタ２０に書き込まれた特性信号２１は、クロストーク補正を行うために利用する。」との技術事項を読み取ることができる。
（カ）段落【００６５】より、
「クロストーク補正を含む信号処理手順は、
（１）画像データの入力と、画面内のＲＧＢごとの最大値Ｒｍａｘ，Ｇｍａｘ，Ｂｍａｘの算出、（２）画面のＲＧＢバックライト光量を設定する、（３）画面のＲＧＢサブ画素透過率を設定する、（４）特性レジスタからＲＧＢバックライト光量とクロストーク係数との関係を示すデータを読み出す、（５）ＲＧＢバックライト光量からクロストーク係数を算出する、（６）クロストーク係数を用いてＲＧＢサブ画素透過率を補正する、（７）ＲＧＢバックライト光量と補正したＲＧＢサブ画素透過率を出力する。」との技術事項を読み取ることができる。
（キ）段落【００６６】、【００６７】及び【００６８】より、
「上記手順（４）において、ＬＵＴ（ルックアップテーブル）を利用する方法を採用し、ＲＧＢのバックライト光量の大きさを３つの座標軸として、飛び飛びの分割を行い、分割点の係数をテーブルとしてまとめておき、クロストーク補正するための係数は、３×３サイズのマトリクスにまとめることができて、それぞれの係数はＲＧＢのバックライト光量に依存する変数であり、ＲＧＢのバックライト光量をインデックスとして、係数値を読み出すテーブルを、それぞれの係数について用意する。」との技術事項を読み取ることができる。
（ク）段落【００７５】の「飛び飛びの格子点の係数」とは、段落【００６８】の「飛び飛びの分割を行」った「分割点の係数」、つまり、「クロストーク補正するための係数」のことであるから、段落【００７５】及び【００６８】より、「クロストーク補正するための係数は、パネル特性に基づいて作成し、事前に用意する」との技術事項を読み取ることができる。
ウ　これらのことから、引用例には、次の発明（以下、「引用発明」という。）が記載されているものと認められる。
「クロストークによる色域変動を信号処理により補正する画像表示方法であって、
　画像表示装置は、入力信号１を信号処理回路１０で、掛け算の関係にあるＲＧＢバックライト光量１１とＲＧＢサブ画素透過率１２に分離し、そして、ＲＧＢバックライト光量１１は、ＬＥＤ駆動回路１３を用いてＬＥＤ駆動信号１５に変換して、ＬＥＤバックライト１７を駆動し、一方のＲＧＢサブ画素透過率１２は、ＬＣＤ駆動回路１４を用いてＬＣＤ駆動信号１６に変換して、ＬＣＤパネル１８を駆動し、こうして、最終的に、ＬＥＤバックライト１７とＬＣＤパネル１８を駆動することで、両者の組み合わせとして表示画像が形成され、
　ＬＥＤバックライト１７をＲＧＢ独立制御し、ＲＧＢ３種のＬＥＤそれぞれを独立に駆動するため、３種の駆動信号を生成する手段が必要になり、
　画像表示装置に、記憶手段としての特性レジスタ２０を用意し、特性レジスタ２０へ書き込む特性信号２１は、ＲＧＢバックライト光量とクロストーク係数の関係を示すデータであり、特性レジスタ２０に書き込まれた特性信号２１は、クロストーク補正を行うために利用し、
　クロストーク補正を含む信号処理手順は、
（１）画像データの入力と、画面内のＲＧＢごとの最大値Ｒｍａｘ，Ｇｍａｘ，Ｂｍａｘの算出、（２）画面のＲＧＢバックライト光量を設定する、（３）画面のＲＧＢサブ画素透過率を設定する、（４）特性レジスタからＲＧＢバックライト光量とクロストーク係数との関係を示すデータを読み出す、（５）ＲＧＢバックライト光量からクロストーク係数を算出する、（６）クロストーク係数を用いてＲＧＢサブ画素透過率を補正する、（７）ＲＧＢバックライト光量と補正したＲＧＢサブ画素透過率を出力する。
であり、
　上記手順（４）において、ＬＵＴ（ルックアップテーブル）を利用する方法を採用し、ＲＧＢのバックライト光量の大きさを３つの座標軸として、飛び飛びの分割を行い、分割点の係数をテーブルとしてまとめておき、クロストーク補正するための係数は、３×３サイズのマトリクスにまとめることができて、それぞれの係数はＲＧＢのバックライト光量に依存する変数であり、ＲＧＢのバックライト光量をインデックスとして、係数値を読み出すテーブルを、それぞれの係数について用意し、
　クロストーク補正するための係数は、パネル特性に基づいて作成し、事前に用意する、
方法。」
（３）引用発明との対比
ア　本件補正発明と引用発明とを対比する。
（ア）引用発明における「ＬＥＤバックライト１７を駆動」する「画像表示装置」は、引用例の段落【０１０４】に記載のとおり、「液晶ディスプレイを利用するテレビジョン受像器，パソコン，モニタ装置等に適用できる」から、本件補正発明における「バックライトディスプレイデバイス」に相当する。
（イ）引用発明の「ＬＥＤバックライト１７を駆動」する「画像表示装置」における「クロストークによる色域変動を信号処理により補正する画像表示方法」が、本件補正発明における「バックライトディスプレイデバイスを較正する方法」に相当する。
（ウ）引用発明における「クロストーク補正するための係数」（「クロストーク係数」に同じ）は、「ＲＧＢバックライト光量とクロストーク係数の関係を示すデータ」であって、「３×３サイズのマトリクスにまとめることができ」、「（６）クロストーク係数を用いてＲＧＢサブ画素透過率を補正する」ために利用されるから、本件補正発明における「カラー補正マトリックスの係数」に相当する。
（エ）引用発明において「（２）画面のＲＧＢバックライト光量を設定」し、「（５）ＲＧＢバックライト光量からクロストーク係数を算出」し、「（６）クロストーク係数を用いてＲＧＢサブ画素透過率を補正する」ことと、本件補正発明における「ここで、前記係数は、２つ以上の異なるバックライト強度レベル設定において、前記バックライトディスプレイデバイスの、赤チャネル、緑チャネル、および、青チャネルの各々のカラー応答を調整」することとは、「ここで、前記係数は、２つ以上の異なるバックライト設定において、前記バックライトディスプレイデバイスの、赤チャネル、緑チャネル、および、青チャネルの各々のカラー応答を調整」する点で共通する。
（オ）引用発明の「ＬＥＤバックライト１７を駆動」する「画像表示装置」において「ＲＧＢのバックライト光量の大きさを３つの座標軸として、飛び飛びの分割を行い、分割点の係数をテーブルとしてまとめておき、クロストーク補正するための係数は、３×３サイズのマトリクスにまとめることができて、それぞれの係数はＲＧＢのバックライト光量に依存する変数であり、ＲＧＢのバックライト光量をインデックスとして、係数値を読み出すテーブルを、それぞれの係数について用意」し、「クロストーク補正するための係数」を、「パネル特性に基づいて作成し、事前に用意する」ことと、本件補正発明における「バックライトディスプレイデバイスの２つ以上の異なるバックライト強度レベル設定において、２つ以上の異なるカラー補正マトリックスの係数を発生させること」とは、「バックライトディスプレイデバイスの２つ以上の異なるバックライト設定において、２つ以上の異なるカラー補正マトリックスの係数を発生させること」である点で共通する。
（カ）引用発明において、「ＲＧＢのバックライト光量の大きさを３つの座標軸として、飛び飛びの分割を行い、分割点の係数をテーブルとしてまとめておき、クロストーク補正するための係数は、３×３サイズのマトリクスにまとめることができて、それぞれの係数はＲＧＢのバックライト光量に依存する変数であり、ＲＧＢのバックライト光量をインデックスとして、係数値を読み出すテーブルを、それぞれの係数について用意」し、「（２）画面のＲＧＢバックライト光量を設定」し、「（５）ＲＧＢバックライト光量からクロストーク係数を算出」し、「（６）クロストーク係数を用いてＲＧＢサブ画素透過率を補正」し、「（７）ＲＧＢバックライト光量と補正したＲＧＢサブ画素透過率を出力」し、「ＲＧＢバックライト光量１１は、ＬＥＤ駆動回路１３を用いてＬＥＤ駆動信号１５に変換して、ＬＥＤバックライト１７を駆動し、一方のＲＧＢサブ画素透過率１２は、ＬＣＤ駆動回路１４を用いてＬＣＤ駆動信号１６に変換して、ＬＣＤパネル１８を駆動し、こうして、最終的に、ＬＥＤバックライト１７とＬＣＤパネル１８を駆動することで、両者の組み合わせとして表示画像が形成され」ることと、本件補正発明の、「少なくとも２つの異なるバックライト強度レベル設定が前記カラー補正マトリックスのうちの異なる１つに対応するような前記バックライト強度レベル設定において、前記バックライトディスプレイデバイスによってカラーをレンダリングする」こととは、「少なくとも２つの異なるバックライト設定が前記カラー補正マトリックスのうちの異なる１つに対応するような前記バックライト設定において、前記バックライトディスプレイデバイスによってカラーをレンダリングする」点で共通する。
（キ）引用発明において、上記（カ）の手順で「表示画像が形成され」る際、「ＲＧＢのバックライト光量の大きさを３つの座標軸として、飛び飛びの分割を行い、分割点の係数をテーブルとしてまとめておき、クロストーク補正するための係数は、３×３サイズのマトリクスにまとめることができて、それぞれの係数はＲＧＢのバックライト光量に依存する変数であり、ＲＧＢのバックライト光量をインデックスとして、係数値を読み出すテーブルを、それぞれの係数について用意」し、「特性信号２１」として、「画像表示装置」に用意された「記憶手段としての特性レジスタ２０」に「書き込」むことが、本件補正発明の「前記バックライトディスプレイデバイスによってカラーをレンダリングする適用のために、前記２つ以上の異なるカラー補正マトリックスの係数を前記バックライトディスプレイデバイスに記憶させること」に相当する。
イ　以上のことから、本件補正発明と引用発明との一致点及び相違点は、次のとおりである。
（一致点）
「バックライトディスプレイデバイスを較正する方法において、
　前記バックライトディスプレイデバイスの２つ以上の異なるバックライト設定において、２つ以上の異なるカラー補正マトリックスの係数を発生させることと、ここで、前記係数は、前記２つ以上の異なるバックライト設定において、前記バックライトディスプレイデバイスの、赤チャネル、緑チャネル、および、青チャネルの各々のカラー応答を調整し、
　少なくとも２つの異なるバックライト設定が前記カラー補正マトリックスのうちの異なる１つに対応するような前記バックライト設定において、前記バックライトディスプレイデバイスによってカラーをレンダリングする適用のために、前記２つ以上の異なるカラー補正マトリックスの係数を前記バックライトディスプレイデバイスに記憶させることと、
を含む方法。」
＜相違点＞
　本件補正発明では、「カラー補正マトリックスの係数」が、「バックライト強度レベル設定」と対応しており、「前記バックライト強度レベル設定は、デフォルトのバックライト強度レベル設定に比しての異なるバックライト強度の量を表すパーセンテージ又は前記パーセンテージの範囲で定義される」のに対し、引用発明では、「３×３サイズのマトリクスにまとめることができ」る「クロストーク補正するための係数」（本件補正発明の「カラー補正マトリックスの係数」に相当する。）は、「ＲＧＢのバックライト光量に依存する変数」であり、「ＲＧＢバックライト光量」と関係しているものの、引用発明の「ＬＥＤバックライト１７」は「ＲＧＢ３種のＬＥＤそれぞれを独立に駆動するため、３種の駆動信号を生成する」ものであるため、「ＲＧＢのバックライト光量の大きさを３つの座標軸」で設定している点。
（４）判断
　以下、上記相違点について検討する。
ア　引用例の段落【００９９】には、引用発明に関連して、「
上記の説明は、ＲＧＢの発光手段をそれぞれ独立に駆動するバックライトの波長分布が変化する構成を示した。ここで、発光手段の波長分布がＲＧＢの３種類でない場合
でも同様のクロストーク要因が存在することは明らかである。
イ　そして、引用例の段落【０１００】〜【０１０２】では、引用例の段落【００２０】〜【００２１】に記載されたような「単一の駆動信号を入力して、ＲＧＢ３種のＬＥＤを同時に駆動」する「ＬＥＤ全色点灯のバックライト」について言及がなされ、「発光手段が、いわゆる白色の１色である場合」に、「白色の発光手段としては、内部に備えるＲＧＢ独立の発光手段を単一の信号で同時に駆動することで白色の発光手段とする構成」があるが、「白色のバックライトの光量を可変となるように駆動する場合において」、「白色の波長分布が変化」し、「クロストークの発生がある」ので、「表示画面の色の変化を補正するために、前記した本発明の手段を利用できることはいうまでもない」と記載されている。
　さらに、引用例には、上記記載に続けて「具体的には、バックライト発光量（あるいはＲＧＢ駆動信号）と、該色変化を補正するために液晶駆動信号を補正するための係数を対応付けておくことで、表示信号の補正を行う。」とも記載されている。
ウ　そうであれば、引用発明において、「ＬＥＤバックライト１７」を、引用例の段落【００２０】〜【００２１】に記載された「単一の駆動信号を入力して、ＲＧＢ３種のＬＥＤを同時に駆動」する「ＬＥＤ全色点灯のバックライト」とし、「白色のバックライトの光量を可変となるように駆動」して用いる場合に、表示画面の色の変化を補正するため、引用発明に開示されたクロストーク補正を利用するようにすること、つまり、上記相違点に係る本件補正発明のように、「３×３サイズのマトリクスにまとめることができ」る、「色変化を補正するために液晶駆動信号を補正するための係数」（本件補正発明「カラー補正マトリックスの係数」に相当する。）が、「白色のバックライトの光量」（本件補正発明の「バックライト強度レベル設定」に相当する。）と対応するようにすることは、当業者にとっていうまでもない程度に容易に想到し得たことである。
　また、その際、「可変」とされる「白色のバックライトの光量」（本件補正発明の「バックライト強度レベル設定」に相当する。）を、パーセンテージ表示（％）による慣用表現を用いて、デフォルトのバックライト光量に比しての異なるバックライト光量の量を表すパーセンテージ又は前記パーセンテージの範囲で定義することも、当業者が適宜なし得たことである。
ウ　また、本件補正発明の奏する作用効果も、引用発明、引用発明と関連して引用例に記載された事項及び慣用表現を用いることにより奏される作用効果から予測される範囲内のものにすぎず、格別顕著なものということはできない。
エ　したがって、本件補正発明は、引用発明、引用発明と関連して引用例に記載された事項及び慣用表現を用いることに基づいて、当業者が容易に発明をすることができたものであり、特許法第２９条第２項の規定により、特許出願の際独立して特許を受けることができないものである。
（５）本件補正についてのむすび
　以上のとおり、本件補正は、特許法第１７条の２第６項において準用する同法第１２６条第７項の規定に違反するので、同法第１５９条第１項の規定において読み替えて準用する同法第５３条第１項の規定により却下すべきものである。
第３　本願発明について
１　本願発明
　平成２６年１２月１８日付けの手続補正は、上記のとおり却下されたので、本願の請求項１ないし１６に係る発明は、平成２６年６月２３日付け手続補正書によって補正された特許請求の範囲の請求項１ないし１６に記載された事項により特定されるとおりのものであるところ、その請求項１に係る発明（以下、「本願発明」という。）は、再掲すれば、次のとおりのものである。
「バックライトディスプレイデバイスを較正する方法において、
　前記バックライトディスプレイデバイスの２つ以上の異なるバックライト強度レベル設定において、２つ以上の異なるカラー補正マトリックスの係数を発生させることと、
　前記バックライトディスプレイデバイスによってカラーをレンダリングする適用のために、前記２つ以上の異なるカラー補正マトリックスの係数を前記バックライトディスプレイデバイスに記憶させることとを含み、
　前記係数は、前記２つ以上の異なるバックライト強度レベル設定において、前記バックライトディスプレイデバイスの、赤チャネル、緑チャネル、および、青チャネルの各々のカラー応答を調整する方法。」
２　引用例
　原査定の拒絶の理由で引用された引用例およびその記載事項は、前記第２の［理由］２（２）に記載したとおりである。
３　対比・判断
　本願発明は、前記第２の［理由］２で検討した本件補正発明から、「バックライト強度レベル設定」についての限定事項を削除し、「前記係数は、前記２つ以上の異なるバックライト強度レベル設定において、前記バックライトディスプレイデバイスの、赤チャネル、緑チャネル、および、青チャネルの各々のカラー応答を調整」との記載の文章中の位置を元に戻したものに相当する。
　そうすると、文章中の記載位置が変更された点を除けば、本願発明の発明特定事項を全て含み、さらに他の事項を付加したものに相当する本件補正発明が、前記第２の［理由］２（３）、（４）に記載したとおり、引用発明、引用発明と関連して引用例に記載された事項及び慣用表現を用いることに基づいて当業者が容易に発明をすることができたものであるから、本願発明も同様の理由により、引用発明、引用発明と関連して引用例に記載された事項及び慣用表現を用いることに基づいて当業者が容易に発明をすることができたものである。
４　むすび
　以上のとおり、本願発明は、特許法第２９条第２項の規定により特許を受けることができないから、他の請求項に係る発明について検討するまでもなく、本願は拒絶すべきものである。
　よって、結論のとおり審決する。